(57)【要約】【課題】  同じ宛先で受信したＦＡＸ情報をＦＡＸ情報ごとに細かく分類して自動的に個々のＰＣに転送できるファクシミリ通信装置及びファクシミリ転送方法を提供する。【解決手段】  システム制御部１０は、受信したＦＡＸ情報を記憶部１１に記憶させ（ステップＳ１１）、転送設定されている状態であり（ステップＳ１２）、受信されたＦＡＸ情報の宛先が記憶部１１の転送情報に記憶されており（ステップＳ１３）、受信されたＦＡＸ情報の宛先とともに受信されたＦＡＸ情報の件名が記憶部１１の転送情報に記憶されている場合（ステップＳ１４）、受信されたＦＡＸ情報の宛先及び件名とともに記憶部１１の転送情報に記憶されている転送先のＰＣ及びフォルダに受信されたＦＡＸ情報の画情報をネットワーク制御部１８及びネットワーク４を通して転送する（ステップＳ１５）。【選択図】    図４
2005223489.tif 000002
【特許請求の範囲】
【請求項１】
画情報を含むファクシミリ情報を受信してネットワークで接続されたコンピュータのフォルダに画情報を転送する機能をもつファクシミリ通信装置であって、
受信したファクシミリ情報に含まれる内容に基づいてファクシミリ情報に含まれる画情報の転送先を選択することを特徴とするファクシミリ通信装置。
【請求項２】
画情報を区分する情報を含むファクシミリ情報を受信してネットワークで接続されたコンピュータのフォルダに画情報を転送する機能をもつファクシミリ通信装置であって、
記憶手段と転送手段とを備え、
前記記憶手段は、画情報を区分する情報と区分する画情報を転送する転送先の情報とを記憶し、
前記転送手段は、受信したファクシミリ情報に含まれる画情報を区分する情報が前記記憶手段に記憶されている場合には、画情報を区分する情報とともに前記記憶手段に記憶されている転送先の情報が示す転送先に受信したファクシミリ情報に含まれる画情報を転送することを特徴とするファクシミリ通信装置。
【請求項３】
操作手段と印刷手段とを備え、
前記操作手段は、ユーザの操作により前記記憶手段に記憶された画情報を区分する情報と区分する画情報を転送する転送先とを印刷する指示を前記印刷手段に送り、
前記印刷手段は、前記記憶手段に記憶された画情報を区分する情報と区分する画情報を転送する転送先とのリストを印刷する請求項２に記載のファクシミリ通信装置。
【請求項４】
画情報を含むファクシミリ情報を受信してネットワークで接続されたコンピュータのフォルダに画情報を転送するファクシミリ通信装置におけるファクシミリ転送方法であって、
受信したファクシミリ情報に含まれる内容に基づいてファクシミリ情報に含まれる画情報の転送先を選択することを特徴とするファクシミリ転送方法。
【請求項５】
画情報を区分する情報を含むファクシミリ情報を受信してネットワークで接続されたコンピュータのフォルダに画情報を転送するファクシミリ通信装置におけるファクシミリ転送方法であって、
受信したファクシミリ情報に含まれる画情報を区分する情報に基づいて区分する画情報の転送先を選択することを特徴とするファクシミリ転送方法。
【発明の詳細な説明】
【技術分野】
【０００１】
この発明は、受信したファクシミリ情報の画情報を転送するファクシミリ通信装置及びファクシミリ転送方法に関する。
【背景技術】
【０００２】
近年、ファクシミリ（ＦＡＸ）装置等の通信装置で受信したＦＡＸ情報を紙に印刷せずに蓄積し、個人のコンピュータから引き取ったり、個人のコンピュータに直接転送したりするペーパーレスＦＡＸシステムが開発されている。特許文献１または特許文献２で提案されている通信装置等、従来の通信装置における他のＦＡＸ通信装置やコンピュータへの転送方式では、転送が設定された宛先に送られるＦＡＸ情報は全て転送される。
【特許文献１】実開平０４−５７９６７号公報
【特許文献２】特開平０４−２１２５６８号公報
【発明の開示】
【発明が解決しようとする課題】
【０００３】
本発明は、同じ宛先で受信したファクシミリ情報をファクシミリ情報ごとに細かく分類して個々のコンピュータに転送できるファクシミリ通信装置及びファクシミリ転送方法を提供することを目的とする。
【課題を解決するための手段】
【０００４】
この発明のファクシミリ通信装置は、画情報を含むファクシミリ情報を受信してネットワークで接続されたコンピュータのフォルダに画情報を転送する機能をもち、受信したファクシミリ情報に含まれる内容に基づいてファクシミリ情報に含まれる画情報の転送先を選択する。
【０００５】
また、この発明のファクシミリ通信装置は、画情報を区分する情報を含むファクシミリ情報を受信してネットワークで接続されたコンピュータのフォルダに画情報を転送する機能をもち、記憶手段と転送手段とを備え、記憶手段は、画情報を区分する情報と区分する画情報を転送する転送先の情報とを記憶し、転送手段は、受信したファクシミリ情報に含まれる画情報を区分する情報が記憶手段に記憶されている場合には、画情報を区分する情報とともに記憶手段に記憶されている転送先の情報が示す転送先に受信したファクシミリ情報に含まれる画情報を転送する。
【０００６】
さらに、操作手段と印刷手段とを備え、操作手段は、ユーザの操作により記憶手段に記憶された画情報を区分する情報と区分する画情報を転送する転送先とを印刷する指示を印刷手段に送り、印刷手段は、記憶手段に記憶された画情報を区分する情報と区分する画情報を転送する転送先とのリストを印刷するとよい。
【０００７】
この発明のファクシミリ転送方法は、画情報を含むファクシミリ情報を受信してネットワークで接続されたコンピュータのフォルダに画情報を転送するファクシミリ通信装置において、受信したファクシミリ情報に含まれる内容に基づいてファクシミリ情報に含まれる画情報の転送先を選択する。
【０００８】
また、この発明のファクシミリ転送方法は、画情報を区分する情報を含むファクシミリ情報を受信してネットワークで接続されたコンピュータのフォルダに画情報を転送するファクシミリ通信装置において、受信したファクシミリ情報に含まれる画情報を区分する情報に基づいて区分する画情報の転送先を選択する。
【発明の効果】
【０００９】
ファクシミリ情報またはファクシミリ情報の件名ごとに画情報の転送先を記憶しているため、同じ宛先でもファクシミリ情報またはファクシミリ情報の件名に応じて自動的に画情報を仕分けして転送でき、ユーザの使い勝手を向上させることができる。
【発明を実施するための最良の形態】
【００１０】
このファクシミリ（ＦＡＸ）通信装置１は、図１のネットワークの構成図に示すように公衆回線２に接続されて他のＦＡＸ装置３等から画情報と画情報を区分する情報と宛先とを含むＦＡＸ情報を受信し、受信したＦＡＸ情報に含まれる画情報を印刷し、または、ＬＡＮ等のネットワーク４で接続されたＰＣ５ａ〜５ｎへ転送する。また、ＦＡＸ装置１は、ＦＡＸ装置１で原稿から画情報を読み取り、または、ネットワーク４を通じてＰＣ５ａ〜５ｎから画情報の入力を受けて、画情報に画情報を区分する情報と宛先とを含めたＦＡＸ情報を公衆回線２を通じて他のＦＡＸ装置３等に送信する。ここで、宛先はＦＡＸ番号、ＩＤ等の受信者の識別子であり、画情報を区分する情報には例えば件名等が含まれ、本実施形態では画情報を区分する情報として件名を用いる。
【００１１】
ＦＡＸ通信装置１は、図２の構成図に示すようにシステム制御部１０と記憶部１１と操作部１２と読取部１３と書込部１４と圧縮伸長部１５と通信制御部１６と回線制御部１７とネットワーク制御部１８とを備える。
【００１２】
システム制御部１０は転送プログラムを実行することで転送手段として機能し転送処理を行うとともにシステム制御プログラム等に従ってＦＡＸ通信装置１全体のシステムを制御する。記憶部１１は、転送プログラム、宛先と件名と転送先とを含む転送情報、転送設定がされているかを示す転送設定状態、システム制御プログラム、ユーザデータ、システム動作状況、画情報、相手先番号等を記憶する。操作部１２は転送設定の有無、転送情報の入力、転送情報の印刷指示、相手先番号、システムに必要な情報、送信相手先等を入力する。読取部１３は原稿を読み取り、書込部１４は画情報、リスト、レポート等を印字する。圧縮伸長部１５は画情報に対する圧縮処理及び伸長処理を行う。通信制御部１６はＦＡＸ通信を制御する。回線制御部１７は公衆回線とのインターフェースを制御する。ネットワーク制御部１８はＬＡＮ等を介して接続された他のＰＣ５ａ〜５ｎとのネットワーク制御を行う。
【００１３】
ユーザから操作部１３を通じて転送設定されると、転送設定されている状態であることが記憶部１１に記憶される。システム制御部１０は、転送設定されている状態でどの宛先に対するどのような件名を含むＦＡＸ情報が受信された場合に、どのＰＣのどのフォルダを転送先として画情報を転送するのか操作部１３を通じてユーザから入力を受け、入力された宛先と件名と転送先とを転送情報として記憶部１１に記憶する。例えば、宛先を「Ａ」、件名を「ＢｉｚＴｅｃｈＭａｉｌ」、転送先を「Ｃ￥書類￥日経」として入力を受けて図３のような転送情報１９として記憶部１１に記憶された場合、システム制御部１０は宛先「Ａ」に対して「ＢｉｚＴｅｃｈＭａｉｌ」を件名に含むＦＡＸ情報を受信すると画情報を「Ｃ￥書類￥日経」に転送する。
【００１４】
ＦＡＸ通信装置１の転送処理を図４のフロー図を用いて説明する。システム制御部１０は、回線制御部１７またはネットワーク制御部１８を通じて他のファクシミリ装置３等からＦＡＸ情報を受信して記憶部１１に記憶させ（ステップＳ１１）、記憶部１１に記憶された転送設定状態を参照して転送設定されている状態か判断する（ステップＳ１２）。システム制御部１０は、転送設定されている状態であれば、受信されたＦＡＸ情報の宛先が記憶部１１の転送情報に記憶されているか判断し（ステップＳ１３）、受信されたＦＡＸ情報の宛先が記憶部１１の転送情報に記憶されている場合、受信されたＦＡＸ情報の宛先とともに受信されたＦＡＸ情報の件名が記憶部１１の転送情報に記憶されているか判断し（ステップＳ１４）、受信されたＦＡＸ情報の宛先とともに受信されたＦＡＸ情報の件名が記憶部１１の転送情報に記憶されている場合、受信されたＦＡＸ情報の宛先及び件名とともに記憶部１１の転送情報に記憶されている転送先のＰＣ及びフォルダに受信されたＦＡＸ情報の画情報をネットワーク制御部１８及びネットワーク４を通して転送する（ステップＳ１５）。システム制御部１０は、転送設定されていない状態である場合、または、転送設定されており受信されたＦＡＸ情報の宛先または件名が記憶部１１の転送情報に登録されていない場合には、受信したＦＡＸ情報の画情報を転送せず印刷等の通常の受信処理を行う（ステップＳ１６）。
【００１５】
操作部１３から転送情報の印刷指令を受けると、書込部１４からリストとして出力する。これにより設定した内容を確認できる。なお、リストは書込み部１４から出力される他、データとしてＰＣ５ａ〜５ｎ等の外部装置に出力されるようにしてもよい。
【図面の簡単な説明】
【００１６】
【図１】ＦＡＸ通信装置が接続されたネットワークの構成図である。
【図２】ＦＡＸ通信装置の構成図である。
【図３】転送情報の例を示す図である。
【図４】ファクシミリ転送処理のフロー図である。
【符号の説明】
【００１７】
１；ＦＡＸ通信装置、２；公衆回線、３；ＦＡＸ通信装置、４；ネットワーク、
１０；システム制御部、１１；記憶部、１２；操作部、１３；読取部、
１４；書込部、１５；圧縮伸長部、１６；通信制御部、１７；回線制御部、
１８；ネットワーク制御部、１９；転送情報
【図１】
2005223489.tif 000003
【図２】
2005223489.tif 000004
【図３】
2005223489.tif 000005
【図４】
2005223489.tif 000006